(57)【要約】【課題】　複数頁の一連の原稿の画像を読取り、１枚の複写紙上に編集して出力可能なデジタル複写機において、読みやすい複写物を提供する。【解決手段】　デジタル複写機において初期設定が終了すると原稿の読取りが行なわれ、そのサイズおよび向きが検出される（＃６０〜＃６２）。原稿中の仕切り用紙が検出されるまでは、原稿が４枚になるかまたは原稿の向きが変わるまで同一の複写用紙に原稿画像が複写されるよう図示のないメモリユニットに原稿画像が記憶される（＃６３〜＃７０）。その結果、４ｉｎ１コピーモードを有するデジタル複写機において所望の画像情報ごとに複写紙をあけることができる。【選択図】　図６
2004135359.tif 000002
【特許請求の範囲】
【請求項１】
複数の原稿の画像を読取り、読み取った画像を所定数ごとに１枚の複写紙上に編集して出力可能なデジタル複写機であって、
　前記複数の原稿の間にセットされる仕切り用紙を検出する検出手段と、
　前記複写紙に対応する頁単位の記憶領域を複数頁分有する画像メモリと、
　前記読み取った画像を前記画像メモリの１頁に対して前記所定数ずつ展開するように制御する制御手段とを有し、
　前記制御手段は、前記検出手段により前記仕切り用紙が検出されたとき、前記１頁分の画像メモリに展開された原稿の画像の数が前記所定数に達していない場合であっても、原稿の画像を展開すべき画像メモリの頁を次の頁に切り替えることを特徴とするデジタル複写機。
【発明の詳細な説明】
【技術分野】
【０００１】
　この発明は原稿台に載置された原稿画像を読取り、画像処理の後に用紙上に原稿画像を形成するデジタル複写機に関し、特に複数の原稿画像を１枚の用紙上に出力可能なデジタル複写機に関する。
【背景技術】
【０００２】
　近年、原稿台に載置された原稿の画像情報をＣＣＤなどの光電変換素子により電気信号に変え、原稿画像の画像データを生成し、それを用紙上に出力するデジタル複写機が普及しつつある。デジタル複写機によれば、原稿画像を画像情報として扱えるので、原稿画像を編集して出力することが容易になる。
【０００３】
　一方、省資源や省スペースに対する要求から複数頁の原稿画像を１枚の複写紙に編集して出力することが望まれるようになってきた。そのため、たとえば特許文献１では、デジタル複写機を利用して、４頁の原稿を編集し、１枚の複写紙に出力することが開示されている。
【０００４】
　また、サイズの異なる原稿を所定のサイズの用紙に出力可能な自動用紙選択（ＡＰＳ）機能を有するデジタル複写機も普及しつつある。
【０００５】
【特許文献１】特開平３−２３３５７８号公報
【発明の開示】
【発明が解決しようとする課題】
【０００６】
　上記のように、従来４頁の原稿を編集し１枚の複写紙に出力可能なデジタル複写機が開示されているが、単に原稿を４頁ごとに１枚の複写紙に出力するだけであれば、出来上がった複写物は決して読みやすいものとは言えない。なぜなら、（ｉ） 一連の原稿セットには、章や節といった区切りがあり、１枚の複写紙中に章や節が混在してしまうと読手が理解しにくい複写物となる。
【０００７】
　（ｉｉ） 一連の原稿セット中には、サイズや縦横の向きが異なる原稿が混在している可能性がある。１枚の複写紙中に縦置きの原稿と横置きの原稿による複写画像が混在すると、１枚の複写紙を読むときに用紙を回転せねばならず、不便である。
【０００８】
　特に、複数頁の原稿を編集して１枚の複写紙の出力する場合、必然的に原稿画像は縮小して出力することになるので、少しでも読みやすい複写物を提供する必要がある。
【０００９】
　また、従来のＡＰＳ機能を有するデジタル複写機において、複数のサイズの異なる原稿が複写されると用紙サイズが頻繁に切換わるとともに、画像の向きも変わるため、複写紙を揃えるのが困難であり、また自分の見やすい状態に並べ直す必要があり、見にくいという問題があった。
【００１０】
　この発明は上記のような問題点を解消するためになされたもので、以下のような目的を有する。
【００１１】
　（ｉ） 複数の原稿を１枚の複写紙上に出力可能なデジタル複写機において読みやすい複写画像を出力することである。
【００１２】
　（ｉｉ） 複数の原稿の画像を読取り、１枚の複写紙上に出力可能なデジタル複写機においてユーザの意思どおりに用紙をわけることである。
【００１３】
　（ｉｉｉ） 複数の原稿の画像を読取り、１枚の複写紙上に出力可能なデジタル複写機において用紙ごとに画像の向きを一定にすることである。
【００１４】
　（ｉｖ） 同一複写紙に最適な形で複数の画像を形成できるデジタル複写機を提供することである。
【００１５】
　（ｖ） 任意のサイズおよび向きを有する複数の原稿から同一サイズの複写紙上に見やすい状態で画像を形成することができるデジタル複写機を提供することである。
【課題を解決するための手段】
【００１６】
　本発明は、複数の原稿の画像を読取り、読み取った画像を所定数ごとに１枚の複写紙上に編集して出力可能なデジタル複写機であって、前記複数の原稿の間にセットされる仕切り用紙を検出する検出手段と、前記複写紙に対応する頁単位の記憶領域を複数頁分有する画像メモリと、前記読み取った画像を前記画像メモリの１頁に対して前記所定数ずつ展開するように制御する制御手段とを有し、前記制御手段は、前記検出手段により前記仕切り用紙が検出されたとき、前記１頁分の画像メモリに展開された原稿の画像の数が前記所定数に達していない場合であっても、原稿の画像を展開すべき画像メモリの頁を次の頁に切り替えることを特徴とする。
【発明の効果】
【００１７】
　本発明に係るデジタル複写機は、仕切り用紙が検出されたとき、１頁分の画像メモリに展開された原稿の画像の数が所定数に達していない場合であっても、原稿の画像を展開すべき画像メモリの頁を次の頁に切換える。このため、読み取った画像を所定数ごとに１枚の複写紙上に編集して出力する場合であっても、仕切り用紙の挿入により、ユーザの所望の出力形態で、例えば、章や節といった区切りで複写紙を分けて出力することができる。
【発明を実施するための最良の形態】
【００１８】
　以下この発明の実施の形態を図面を参照して説明する。
（１） 第１の実施の形態
　図１はデジタル複写機の内部構成を示す図である。図１を参照して、デジタル複写機は、自動原稿搬送装置５００（以下、ＡＤＦと記す）でプラテンガラス１９上に１枚ずつ搬送される原稿の画像を読取系１０で読取る。読取られた画像データに基づいてレーザビーム走査光学系６０が駆動され、感光体ドラム７１上に静電潜像が形成される。この潜像が現像されて複写紙上に転写される。この発明に係るデジタル複写機においては、４枚の原稿画像を１枚の複写紙上に転写する４ｉｎ１モードや２枚の原稿画像を１枚の複写紙上に転写する２ｉｎ１モードなどの複数の原稿画像を１枚のシート上に形成する（一般的にＮｉｎ１モードと称する）処理が可能である。
【００１９】
　このデジタル複写機は、原稿画像を読取って画像データに変換する読取系１０と、読取系１０から送信される画像データを処理する画像データ処理ユニット２０と、画像データ処理ユニット２０から送信される画像データを印字データとしてそのままプリンタ装置ＰＲへ出力するかまたはメモリに一旦記憶するかなどの切換えを行なうメモリユニット３０と、メモリユニット３０から送信される印字データに基づいて光学系６０を駆動する印字処理ユニット４０と、半導体レーザ６１から放射されたレーザビームを感光体ドラム７１上に走査する光学系６０と、感光体ドラム７１上に形成された潜像の現像、転写を行なう作像系７０と、複写紙搬送系８０とを含む。そして、読取系１０、画像データ処理ユニット２０、メモリユニット３０によって読取装置ＩＲが構成され、印字処理ユニット４０、光学系６０、作像系７０および複写紙搬送系８０によってプリンタ装置ＰＲが構成されている。読取系１０は、第１スキャナ１１に取付けた露光ランプ１２および第１ミラー１３ａと、第２スキャナ１４に取付けた第２ミラー１３ｂ，１３ｃと、結像レンズ１５と、第４ミラー１６と、ＣＣＤからなるラインセンサ１７と、モータＭ２とで構成されている。スキャナ１１，１４は、モータＭ２によって駆動され、プラテンガラス１９の直下でそれぞれ矢印ｂ方向（副走査方向）に移動する。この移動に伴って、プラテンガラス１９上にセットされた原稿の画像がラインセンサ１７によって読取られる。ラインセンサ１７は副走査方向ｂと直交する方向に多数の素子（ＣＣＤ）を並べたもので、この並置方向を主走査方向と称する。
【００２０】
　画像データ処理ユニット２０およびメモリユニット３０については後に詳述する。印字処理ユニット４０は印字データに基づいて主走査方向に１ラインずつ光学系６０を駆動する。光学系６０は印字処理ユニット４０によって変調（オン、オフ）制御される半導体レーザ６１と、この半導体レーザ６１から放射されたレーザビームを偏向走査するポリゴンミラー６２と、偏向されたレーザビームの歪曲収差等を補正するｆθレンズ６３と、レーザビームを感光体ドラム７１上に導くミラー６４ａ，６４ｂ，６４ｃとで構成されている。
【００２１】
　作像系７０は、矢印ｃ方向に回転駆動される感光体ドラム７１の周囲に、回転方向に沿って帯電チャージャ７２、現像機７３、転写チャージャ７４、複写紙分離チャージャ７５、残留トナーのクリーナ７６、残留電荷のイレーザランプ７７を配置したものである。なお、作像系７０による作像プロセスは周知であり、その説明は省略する。
【００２２】
　複写紙搬送系８０は、複写紙を積層収容した自動給紙カセット８１ａ，８１ｂ、複写紙を１枚ずつ給紙するための給紙ローラ８２ａ，８２ｂ、複写紙搬送通路８３、タイミングローラ８４、搬送ベルト８５、トナー定着器８６、排出ローラ８７、排紙トレー８８とで構成されている。この複写紙搬送系８０および感光体ドラム７１はメインモータＭ１によって駆動される。カセット８１ａ，８１ｂに近接して複写紙サイズとその向きを検出する検出センサＳＥ１，ＳＥ２が設けられ、また、複写紙搬送通路の要所には複写紙検出センサが設置されている。
【００２３】
　ＡＤＦ５００は、原稿載置トレー５０１、ピックアップローラ５０２、さばきローラ５０３、さばきパッド５０４、レジスタローラ５０５、搬送ベルト５０６、反転ローラ５０７、排紙トレー５０８によって構成されている。トレー５０１に載置された原稿は最下層のものから１枚ずつプラテンガラス１９上に搬送されそこで停止される。原稿は読取系１０によってその画像を読取られる。読取終了後、原稿は反転ローラ５０７を経て排紙トレー５０８上に配紙される。また、両面原稿にあっては、反転ローラ５０７の周囲を１回転してプラテンガラス１９上へ戻される。そのため、搬送ベルト５０６は正逆回転可能とされている。また、原稿はプラテンガラス１９上へ送込まれる直前でセンサＳＥ５のオン時間によってサイズと向きとが検出される。センサＳＥ５は後述する仕切り用紙１００の検出も行なう。また、トレー５０１上には原稿の有無を検出するセンサＳＥ４が設けられている。
【００２４】
　以上の構成からなる複写機は、通常モードでは１枚の原稿の画像を読取ってその画像データに必要な補正を加えて印字データを生成し、この印字データを光学系６０で出力し、１枚の複写紙上に画像を形成する。これに加えて４ｉｎ１モードを選択して処理可能である。４ｉｎ１モードでは、原稿画像を読取るごとに１枚の複写紙に対する画像メモリ３１の１／４の部分に原稿画像を順次展開する。しかし、仕切り用紙１００を検出したとき、もしくは、原稿の縦横の向きが切換わったときには、たとえ画像メモリ３１上に原稿画像未展開領域が残っていても次に出力する複写紙に対応する画像メモリ３２上に原稿画像を展開する。
【００２５】
　次に複写機の制御上について説明する。図２はデジタル複写機の制御ブロック図のうち本発明に係る部分を示すものである。画像データ処理ユニット２０は、装置全体のタイミング制御を行なうプログラムメモリ内蔵のＣＰＵ２１、Ａ／Ｄコンバータ２２、シェーディング補正部２３、階調補正部２４、変倍処理部２５、２値化処理部２６、アドレスデコーダ２７によって構成されている。ＣＰＵ２１からは画像読取同期信号がラインセンサ１７、画像データ処理ユニット２０、メモリユニット３０、印字処理ユニット４０の各部分に供給される。
【００２６】
　ラインセンサ１７で１ラインごとに読取られた信号はアナログデータであり、このアナログデータはＡ／Ｄコンバータ２２で１画素当たり８ビット階調のデジタルの画像データに変換され、シェーディング補正、ＭＴＦ補正、γ補正等の階調補正や変倍等の周知の画像処理が行なわれる。２値化処理部２６では誤差拡散法によって画像データが２値データに変換された後に、アドレスデコーダ２７で指定されたメモリユニット３０の特定のアドレスに格納される。
【００２７】
　メモリユニット３０に書込まれた画像データはＣＰＵ２１の指示により、印字処理ユニット４０上に転送される。そこでは、Ｄ／Ａ変換部４１によるＤ／Ａ変換の後に、ＬＤ駆動部４２でＤ／Ａ変換された画像データに基づいて半導体レーザ６１が駆動される。
【００２８】
　また、ＣＰＵ２１は操作パネル９０の各走査キーからの信号の入力および表示に関する制御を行なう。操作パネルは図３に示すように構成されている。
【００２９】
　図３を参照して、操作パネル９０は、複写枚数の設定を行なうテンキー９００を含む。設定枚数は枚数表示部９０１に表示される。複写倍率は倍率表示部９０３に表示されている複写倍率の中から選択キー９０２で選択する。選択キー９０２を押すたびに選択されている倍率が切換わるようになっている。
【００３０】
　用紙サイズは用紙サイズ表示部に表示されている自動給紙カセット８１ａ，８１ｂにセットされている複写紙サイズ（自動給紙カセット８１ａ，８１ｂでセットされている複写紙サイズとそうでない複写紙サイズとは区別して表示している）の中から１つを複写紙サイズの選択キー９０４で選択する。キー９０４を押すたびに選択されている複写紙サイズが切換わる。
【００３１】
　自動用紙選択（ＡＰＳ）と自動倍率選択（ＡＭＳ）モードおよび用紙選択と倍率選択とを手動で行なう（マニュアル）モードとを選択するためにキー９０６が設けられている。キー９０６を押すたびに選択されているモードが切換わり、それに対応して表示ランプ９０７が点灯する。４枚の原稿画像を１枚の複写紙上に複写するための４ｉｎ１モードの選択は選択キー９１０で行なう。このモードが設定されているときは、表示ランプ９１１が点灯する。なお、４ｉｎ１モードが選択されときには、キー９０６の選択の如何にかかわらず自動倍率選択モードが設定される。
【００３２】
　各種モードの設定が完了し、複写開始ボタン９１６を押せば一連の複写動作が開始される。
【００３３】
　次にメモリユニット３０について説明する。メモリユニットは、Ａ３サイズの原稿で５０頁分が格納可能な容量を有する。図４はその中の１頁分の画像メモリ３１を表わしている。画像メモリ３１は１枚のＡ３サイズの複写紙に対応して二次元アドレスを有するように構成されている。副走査方向にＸアドレスを有し、主走査方向にＹアドレスを有している。Ｘは１から４Ｘ０、Ｙは１から２Ｙ０まで設定されている。同様な画像メモリが他に４９頁分設けられている。
【００３４】
　図５は４ｉｎ１モードが設定された場合の原稿と複写紙上の複写画像との関係を示す図である。（ａ）は原稿の向きおよびサイズを示し、（ｂ）は複写紙上の具体的な配置を示し、（ｃ）は原稿の載置方向が横と縦のときの複写紙と画像メモリ上のアドレスとの関係を示す図である。
【００３５】
　図５を参照して、このデジタル複写機によれば、（ａ）に示すように原稿の縦横やサイズが混在して途中に仕切り用紙１００によって原稿セットが区切られた場合、複写紙上には（ｂ）に示すように出力される。なお図中（ａ）、（ｂ）は複写紙としてＡ４サイズを選択した場合を例示しており、ｐは原稿の頁順、ｎは複写紙の頁順を表わし、ｎが画像メモリの頁と１対１に対応する。たとえば、ｎ＝１は画像メモリ３１に、ｎ＝２は画像メモリ３２に対応する。ｎは画像原稿の複写紙上の配置位置を示す。ここでは原稿の縦横に関し、原稿の長辺を主走査方向に平行にセットした場合を横置きと定義し、その逆を縦置きと定義する。なお、図中（ａ）および（ｂ）においては原稿と複写紙の対応関係をわかりやすくするため、（ｂ）の複写紙サイズを（ａ）に対して４倍大きく描いている。
【００３６】
　図６は上記の制御を実行するためのＣＰＵ２１の処理手順を示すフローチャートである。図６を参照して、複写開始ボタン９１６を押せば、＃６０では初期設定処理を行ない、メモリユニット３０の画像メモリをクリアし、変数ｎ，ｍをともに０にセットする。変数ｎ，ｍの意味は図５と同じである。
【００３７】
　＃６１で原稿台のトレー５０１の原稿の有無をＳＥ４で検出し、＃６２で原稿を搬送し、ＳＥ５で原稿サイズ等を検出する。＃６３で搬送されたのは仕切り用紙かどうかを判断する。なお仕切り用紙１００には、ＳＥ５による検出位置に対応する場所に孔が図８に示すように設けられている。センサＳＥ５が短周期でこの孔を検出してオン・オフを繰返すことにより仕切り用紙であるか否かを判断する。仕切り用紙１００でない場合には、＃６４で複写紙サイズ選択器９０４で設定されている複写紙サイズを検出し、倍率を決定する。この場合４ｉｎ１モードであるため、複写倍率ＭはＭ＝（用紙サイズ）／｛２×（原稿サイズ）｝である。
【００３８】
　＃６５では、ｍ＝４かどうか、＃６６では原稿の向きが変わったかどうかを判別する。どちらかに該当するときには、たとえ画像メモリ上に未展開領域が残っていても、＃６７で画像メモリの頁を変えて（ｍ＝ｎ＋１）、ｍを１に戻す。＃６５，＃６６いずれもＮＯのときには、＃６８でｍを１つ進め、＃６９で仕切り用紙１００でないと判断されたときには、＃７０で原稿画像をラインセンサ１７で読取り、画像メモリへ書込む。そして＃６１へ戻り原稿の読取りが完了したかどうかを判別し、完了するまで上記処理を繰返し、原稿１頁ごとに原稿画像を画像メモリに展開する。トレー５０１の原稿がなくなれば（＃６１でＹＥＳ）、＃７１で画像メモリに展開された原稿画像を複写紙上に１頁ずつ作像して出力し、処理が終了する。
【００３９】
　次に＃７０の画像メモリへの書込処理について説明する。図７はこの処理を説明するための図である。（ａ）は原稿が横置きのときを示し、（ｂ）は原稿が縦置きのときを示す。図７（ａ）を参照して、この場合は複写紙はＡ４横置きに選択されているので、ＣＰＵ２１は読取った原稿画像を倍率Ｍの値に応じた縮小と、ｍの値に応じた平行移動とを行なった上で画像メモリ３１に書込む。（ｂ）では、複写紙はＡ４縦置きであるため、ＣＰＵ２１では読取った原稿画像を倍率Ｍの値に応じた縮小と、＋９０°の回転移動と、ｍの値に応じた平行移動とを行なった上で画像メモリ３１に書込む。つまり、＃７０では原稿の向きを判断し、向きに応じて表１のような線形変換を行ない、変数ｎに対応した画像メモリに原稿画像を展開する。
【００４０】
【表１】
2004135359.tif 000003
【００４１】
　以上のようにして図５で示したように原稿画像が複写紙上に出力される。なお、４ｉｎ１時の原稿画像の配列を図９のように変更することも可能である。また、適宜切換えるようにしても構わない。さらに、上記実施の形態においてはＮ＝４の場合について説明したが、Ｎ＝２，９，１６…にすることも単にメモリ領域のアドレス設定を変えることによって可能である。こうすることによって所望の出力形態で複数の原稿画像の出力が可能になる。
【００４２】
　（２）第２の実施の形態
　次にこの発明の第２の実施の形態について説明する。第２の実施の形態においてもデジタル複写機の構成は第１の実施の形態と同様であるのでその説明は省略し、以下に異なる点についてのみ説明する。第２の実施の形態においては、走査パネル９０に図３の点線で示すように原稿混載オートモードの２ｉｎ１コピーの設定キー９２０が設けられる。このキーが押されると以下に示す原稿混載オートモードの２ｉｎ１コピーが実行される。
【００４３】
　図１０は原稿混載オートモードの２ｉｎ１コピーにおける原稿と複写用紙との関係を示す図である。このモードにおいては相互に異なるサイズおよび向きを有する原稿が自動的に１種類の用紙に複写される。以下具体的に説明する。
【００４４】
　図１０に示すように１頁目はＡ４横、２頁目はＢ４縦、３，４頁目はＡ４横、５頁目がＡ３縦の異なる方向、サイズの原稿をＡ３縦の用紙に複写する場合を考える。この場合、連続する２枚の原稿の方向とサイズをもとに複写モードを決定する。この実施の形態では２ｉｎ１コピーの原稿混載オートモードであるので、用紙サイズが縦方向で決定されている場合は（ａ） 横方向かつ用紙サイズの半分と同じサイズの原稿が連続していれば２ｉｎ１コピーする。
【００４５】
　（ｂ） 横方向かつ用紙サイズの半分と同じサイズの原稿が連続していないとき（ｂ−１） 横方向の原稿の場合は用紙の半分の大きさに自動的に倍率を計算して出力する。
【００４６】
　（ｂ−２） 縦方向の原稿の場合は用紙の大きさに自動的に倍率を計算して出力する。
【００４７】
　すなわち、図１０において、原稿１に対しては（ｂ−１）原稿２に対しては（ｂ−２）、原稿３，４に対しては（ａ）、原稿５に対しては（ｂ−２）の処理を自動的に選択して行なう。
【００４８】
　上記のような処理を施すことによって、異なるサイズ、方向の原稿であっても、原稿サイズ、方向が変わるたびに複写モードを変更する必要がない。また、連続した用紙サイズの半分と同じサイズの原稿があれば２ｉｎ１コピーを行なうため、複写用紙の節約にもなる。さらに、複写用紙の両面に対して上記処理を適応することもできる。
【００４９】
　また、（ｂ−１）の変形例として同じサイズでなくても、横方向の原稿が連続しているときには用紙の半分の大きさに変倍して２ｉｎ１コピーを行なってもよい。
【００５０】
　図１１（Ａ）は図１０に示した原稿についてＣＰＵ２１が作成する原稿管理テーブルの内容を示す図である。この原稿管理テーブルにより図１０に示したような原稿画像の変倍等の処理を行なう。本実施の形態における用紙サイズはＡ３縦サイズであるとする。この場合まず最初に１頁目と２頁目とでは原稿の向きが異なるので組の頁はない。また原稿方向が横であるので、用紙の半分のサイズに対する倍率を計算すると１．０００になるのでこれを付加情報として登録する。次に２頁目と３頁目ではこれも原稿の向きが異なるので、組の頁はない。また原稿方向が縦であるので、用紙全体のサイズに対する倍率を計算すると１．１５４となる。
【００５１】
　次に３頁目と４頁目とでは、両方とも原稿サイズが横で、原稿サイズが用紙の半分のサイズと等しいため、２ｉｎ１モードが登録できる。このため３頁目の組の頁として４と、４頁目の組の頁として３および倍率として両方とも１．０００をそれぞれ付加情報として記録する。以下読取ったすべての頁に対して前述と同様に付加情報を登録していく。なお、図１１（Ｂ）に上記の３頁目と４頁目で行なわれる２ｉｎ１モードでの画像メモリと原稿画像との関係を示す。
【００５２】
　次に上記のような動作を行なうためのＣＰＵ２１の処理について説明する。図１２は第２の実施の形態におけるＣＰＵ２１の処理手順を示すフローチャートである。図１２を参照して、まずメモリユニット３０を用いるメモリモードか否かを判断する。原稿混載オートモードの２ｉｎ１コピーでは、自動的にメモリモードが設定される。
【００５３】
　メモリモードである場合には（＃２１１でＹＥＳ）、＃２１２でメモリ動作モードを判断する。メモリ書込動作が設定されている場合は（＃２１２でＹＥＳ）、メモリ書込動作を行ない（＃２１４）、メモリ読出動作が設定されている場合は（＃２１２でＮＯ）、メモリ読出動作を行なう。（＃２１７）。メモリモード以外の場合は（＃２１１でＮＯ）、直結モード動作を行なう（＃２１３）。なお以下の説明において、メモリユニット３０には書込動作（＃２１４）によって画像情報は既に格納されているものとする。
【００５４】
　図１３は図１２の＃２１７で示した、原稿混載オートモードにおけるメモリ読出動作のサブルーチンを示すフローチャートである。ここでは、図１０に示すような処理形態になるようＣＰＵ２１は画像データ処理ユニット２０、メモリユニット３０に対して伸張要求コマンド（Ｑ）およびプリント要求コマンド（Ｑ）の設定を行なう。＃４０１では読出ステートの値に応じて＃４０３（“０”のとき）、＃４１１（“１”のとき）、＃４３１（“２”のとき）のように分岐する。
【００５５】
　（ａ） 読出ステート＝“０”のときまず図１１で示した原稿管理テーブルの付加情報の作成を行なう（＃４０３）。次に読出頁を示す変数ｎを初期化し（＃４０５）、読出ステートを更新する（＃４０７）。
【００５６】
　（ｂ） 読出ステート＝“１”のとき頁ｎの付加情報を変数ｘに代入し（＃４１１）、これが頁番号ｎと異なるとき（＃４１３）、すなわち、１つの用紙に２頁を印字する場合は伸張要求バッファにパラメータとして頁番号を示す（ｎ＋１）を登録する（＃４１５）。さらにもう１つ伸張要求バッファにパラメータとして頁番号を示すｎを登録する（＃４１７）。＃４１９では次の読出に備えてｎ←ｎ＋２とする。
【００５７】
　付加情報と頁番号が同じとき（＃４１３でＮＯ）は、１つの用紙に１頁だけのデータを印字するので、伸張要求バッファにｎを登録し、ｎ←ｎ＋１とする（＃４２１，＃４２２）。さらにプリント要求バッファにプリントコマンドを登録する（＃４２５）。この際に付加情報に登録されている倍率をパラメータとして登録しておく。読出ステートを更新する（＃４２７）。伸張要求コマンドのパラメータにより変倍処理部２５は伸張すべき頁番号を知ることができる。
【００５８】
　（ｃ） 読出ステート＝“２”のとき複写紙搬送系８０から給紙があったことを示す給紙レポート（Ａ）を受信したときは（＃４３１でＹＥＳ）、＃４３３で全頁読出を完了したかを判断する。まだ終了していない場合は（＃４３３でＹＥＳ）、読出ステート“１”に戻し（＃４３９）、前述の処理を繰返し行なう。終了している場合は（＃４３３でＮＯ）、読出ステートをリセットし（＃４３５）、書込動作モードに設定する（＃４３７）。
【００５９】
　図１４は、図１３の＃４０３で示した付加情報作成のサブルーチンを示すフローチャートである。図１４を参照して付加情報作成サブルーチンについて説明する。まず２ｉｎ１モードを考慮して２ｉｎ１コピーを行なう際の倍率計算に必要な用紙サイズを計算する（＃５０１）。付加情報作成のための頁番号を初期化する（＃５０３）。ｐ番目の原稿方向が縦か横かを判断する（＃５０５）。ここで原稿方向が縦のときは（＃５０５でＹＥＳ）、本実施の形態では用紙サイズを縦と想定しているため、このときは２ｉｎ１コピーをすることなくコピーするため、組の頁として同一頁を登録する（＃５０７）。さらに実際の用紙サイズより倍率を計算する（＃５０９）。１頁のデータを登録したので頁番号を１だけ更新する（＃５１１）。
【００６０】
　原稿方向が横のときは（＃５０５でＮＯ）、頁番号が全頁数（Ｎ）より小さく（＃５２１でＹＥＳ）かつ次の頁番号（ｐ＋１）が横（＃５２３でＹＥＳ）であれば＃５２５以降で２ｉｎ１コピーのための付加情報を登録する。上記２条件のいずれか一方でも成立しなければ（＃５２１および＃５２３でＮＯ）、縦方向のときと同一の処理を行なう。
【００６１】
　原稿方向が２枚連続して横方向のときは（＃５２１，＃５２３でＹＥＳ）、２ｉｎ１コピーのための付加情報を作成する。すなわち、頁番号ｐとｐ＋１に関して組の頁を登録し（＃５２５，＃５２７）、同様に倍率を用紙サイズから計算する（＃５２９，＃５３１）。２頁のデータを登録したので頁番号を更新する（＃５３３）。読取った全原稿に対して上記の処理を繰返す（＃５１３）。
【００６２】
　上記実施の形態では複写紙サイズがＡ４縦の場合を説明したが、複写紙サイズが異なったり、横方向の場合も同様に可能である。
【図面の簡単な説明】
【００６３】
【図１】この発明に係るデジタル複写機の断面図である。
【図２】この発明に係るデジタル複写機の制御部の要部を示すブロック図である。
【図３】操作パネルの正面図である。
【図４】画像メモリを説明するための図である。
【図５】４ｉｎ１コピーの内容を示す図である。
【図６】ＣＰＵの処理手順を示すフローチャートである。
【図７】原稿画像と画像メモリとの対応関係を示す図である。
【図８】仕切り用紙とＳＥ５の位置関係を示す図である。
【図９】４ｉｎ１コピー時の原稿画像の配列の変形例を示す図である。
【図１０】第２の実施の形態における原稿と複写用紙の関係を示す図である。
【図１１】原稿管理テーブルの内容および第２の実施の形態における画像メモリと原稿画像との関係を示す図である。
【図１２】複写開始のサブルーチンを示すフローチャートである。
【図１３】読出動作サブルーチンの内容を示すフローチャートである。
【図１４】付加情報作成サブルーチンの内容を示すフローチャートである。
【符号の説明】
【００６４】
１０ 読取系
２０ 画像データ処理ユニット
２１ ＣＰＵ
２５ 変倍処理部
３０ メモリユニット
３１ 画像メモリ
４０ 印字処理ユニット
１００ 仕切り用紙
９１０ ４ｉｎ１モード選択キー
ＳＥ５ センサ
【図１】
2004135359.tif 000004
【図２】
2004135359.tif 000005
【図３】
2004135359.tif 000006
【図４】
2004135359.tif 000007
【図５】
2004135359.tif 000008
【図６】
2004135359.tif 000009
【図７】
2004135359.tif 000010
【図８】
2004135359.tif 000011
【図９】
2004135359.tif 000012
【図１０】
2004135359.tif 000013
【図１１】
2004135359.tif 000014
【図１２】
2004135359.tif 000015
【図１３】
2004135359.tif 000016
【図１４】
2004135359.tif 000017